(57)【要約】  マーカ（１０）は、透光性を有する材料で形成され、例えば、少なくとも一方向に並んで配置されている複数の凸面部（１３）を有するレンチキュラーレンズ部（１１）を含む。凸面部（１３）の光軸（ＯＡ１）は、いずれも、製品光軸（ＰＡ）上にある光学基準点（ＯＰ）で交わる。凸面部（１３）の光軸（ＯＡ１）は、いずれも、溝（１４）の底面に直交し、かつその中心を通る。溝（１４）には着色部（１５）が収容されている。
2017099007.tif 000002
【特許請求の範囲】
【請求項１】
透光性を有する材料で形成され、少なくとも一方向に並んで配置されている複数の凸面部を有する複レンズ部と、
前記凸面部のそれぞれに対応して配置され、光学的に検出可能な像として前記凸面部に投影される被検出部と、
を含むマーカであり、
平面視した前記マーカの前記凸面部の並ぶ方向に沿う断面において、前記被検出部の前記複レンズ部との前記凸面部側の結像面に直交する直線を前記被検出部に対応する前記凸面部の光軸とし、前記凸面部が並ぶ方向における両端の前記凸面部の光軸の交点を通る前記並ぶ方向に対する垂線を複レンズ部の光軸としたときに、
複数の前記凸面部の光軸のそれぞれは、前記被検出部よりも前記凸面部側で前記複レンズ部の光軸と交差し、
複数の前記被検出部は、前記凸面部の光軸と前記結像面との交点が前記凸面部による焦点となる位置に配置されている被検出部を含む、
マーカ。
【請求項２】
複数の前記凸面部の光軸は、前記凸面部の中心軸と重なる前記凸面部の光軸を含む、請求項１に記載のマーカ。
【請求項３】
複数の前記凸面部の光軸は、前記凸面部の中心軸に交差する前記凸面部の光軸を含む、請求項１に記載のマーカ。
【請求項４】
前記複レンズ部は透明樹脂製である、請求項１〜３のいずれか一項に記載のマーカ。
【発明の詳細な説明】
【技術分野】
【０００１】
本発明は、マーカに関する。
【背景技術】
【０００２】
凸面部を有する凸レンズ部に模様が投影されるマーカ（「画像表示体」とも言われる）には、レンチキュラーレンズと着色層とを有する画像表示シートが知られている。当該レンチキュラーレンズは、複数のシリンドリカルレンズが並列した構成を有し、当該着色層は、当該シリンドリカルレンズのそれぞれに対応して配置され、個々のシリンドリカルレンズの像として観察される。そして、これらの像の集合によって上記模様が構成される。上記画像表示シートは、拡張現実感（Ａｕｇｍｅｎｔｅｄ  Ｒｅａｌｉｔｙ：ＡＲ）やロボティクスなどの分野において、物体の位置や姿勢などを認識するのに有用である（例えば、特許文献１および特許文献２参照）。
【先行技術文献】
【特許文献】
【０００３】
【特許文献１】特開２０１３−０２５０４３号公報
【特許文献２】特開２０１２−１４５５５９号公報
【発明の概要】
【発明が解決しようとする課題】
【０００４】
図１Ａは、上記特許文献に記載された配置で着色層を有するマーカの一参考例におけるシリンドリカルレンズ部の並列方向に沿う断面を模式的に示す図であり、図１Ｂは、当該マーカにおけるシリンドリカルレンズ部のみの配置を模式的に示す図である。図中、Ｘは、マーカの平面方向における一方向を表し、Ｙは、当該平面方向においてＸ方向と直交する方向を表し、Ｚは、Ｘ方向およびＹ方向の両方に直交する方向（マーカの厚さ方向）を表す。なお、図１Ｂは、図１Ａのレンチキュラーレンズ部中に含まれているシリンドリカルレンズ部の部分を示している。【０００５】
マーカ１００は、例えば、図１に示されるように、透光性を有する材料で形成されたレンチキュラーレンズ部１１０を含み、レンチキュラーレンズ部１１０は、平面方向に配置されている複数のシリンドリカルレンズ部１２０を含む。シリンドリカルレンズ部１２０は、その表面側に凸面部１３０を有し、裏面側に溝１４０、それに収容されている着色部１５０および着色部１５０に対して光学的に識別可能な裏面部１６０を有する。溝１４０は、マーカ１００の光学基準点ＯＰから放射状に延出する直線（光軸ＯＡ）が溝１４０の底面の中心と交わる位置に配置されている。【０００６】
マーカ１００では、観察位置のＸ方向における位置に応じて、観察される模様の位置および形が変化する。このように、マーカ１００では、凸レンズ部の裏面に沿う方向における着色部の位置のみで上記模様が設定されている。【０００７】
マーカ１００では、凸レンズ部において生じる収差は、Ｘ方向の端に近いほど大きくなる。このため、凸面部に投影される像は、Ｘ方向の端に近いほど鮮明さに欠ける傾向にある。このように、上記マーカでは、観察される模様の鮮明さを高める観点から検討の余地が残されている。【０００８】
本発明は、より鮮明な模様を投影するマーカを提供することを課題とする。
【課題を解決するための手段】
【０００９】
本発明は、透光性を有する材料で形成され、少なくとも一方向に並んで配置されている複数の凸面部を有する複レンズ部と、前記凸面部のそれぞれに対応して配置され、光学的に検出可能な像として前記凸面部に投影される被検出部と、を含むマーカであり、平面視した前記マーカの前記凸面部の並ぶ方向に沿う断面において、前記被検出部の前記複レンズ部との前記凸面部側の結像面に直交する直線を前記被検出部に対応する前記凸面部の光軸とし、前記凸面部が並ぶ方向における両端の前記凸面部の光軸の交点を通る前記並ぶ方向に対する垂線を複レンズ部の光軸としたときに、複数の前記凸面部の光軸のそれぞれは、前記被検出部よりも前記凸面部側で前記複レンズ部の光軸と交差し、複数の前記被検出部は、前記凸面部の光軸と前記結像面との交点が前記凸面部による焦点となる位置に配置されている被検出部を含むマーカ、を提供する。
【発明の効果】
【００１０】
本発明に係るマーカは、凸レンズ部の裏面に沿う方向における着色部の位置のみで上記模様が設定されているマーカに比べて、収差の発生およびそれによる影響がより一層抑えられることから、より鮮明な模様を投影することができる。
【図面の簡単な説明】
【００１１】
【図１】図１Ａは、マーカの一参考例におけるシリンドリカルレンズ部の並列方向に沿う断面を、ハッチングを省略して模式的に示す図であり、図１Ｂは、当該マーカにおけるシリンドリカルレンズ部のみの配置を模式的に示す図である。
【図２】図２Ａは、本発明の第１の実施の形態に係るマーカを模式的に示す平面図であり、図２Ｂは、当該マーカを模式的に示す底面図である。
【図３】図３Ａは、本発明の第１実施の形態に係るマーカの、凸面部の並列方向に沿う断面を、ハッチングを省略して模式的に示す図であり、図３Ｂは、シリンドリカルレンズ部を構成単位としたときの当該マーカにおける当該シリンドリカルレンズ部の配置を模式的に示す図である。
【図４】図４Ａは、本発明の第２の実施の形態に係るマーカの、凸面部の並列方向に沿う断面を、ハッチングを省略して模式的に示す図であり、図４Ｂは、当該マーカにおけるシリンドリカルレンズ部を構成単位としたときの当該マーカにおける当該シリンドリカルレンズ部の配置を模式的に示す図である。
【図５】図５Ａは、本発明の第３の実施の形態に係るマーカを模式的に示す平面図であり、図５Ｂは、上記マーカの、凸面部の一並列方向に沿う断面の一部を拡大して模式的に示す、ハッチングを省略した部分拡大断面図であり、図５Ｃは、当該マーカを模式的に示す底面図である。
【図６】図６Ａは、第３の実施の形態に係るマーカの、凸面部の他の並列方向に沿う断面の一部を拡大して模式的に示す、ハッチングを省略した部分拡大断面図であり、図６Ｂは、上記マーカの、凸面部の一並列方向における光軸の配置を模式的に示す図である。
【図７】図７Ａは、第３の実施の形態に係るマーカにおける凹部の第１の変形例を模式的に示す平面図であり、図７Ｂは、当該凹部の第２の変形例を模式的に示す平面図であり、図７Ｃは、当該凹部の第２の変形例を模式的に示す平面図である。
【図８】図８Ａは、本発明の第４の実施の形態に係るマーカを模式的に示す平面図であり、図８Ｂは、上記マーカの、凸面部の一並列方向に沿う断面の一部を拡大して模式的に示す、ハッチングを省略した部分拡大断面図であり、図８Ｃは、上記マーカを模式的に示す底面図である。
【図９】図９Ａは、第４の実施の形態に係るマーカの、凸面部の他の並列方向に沿う断面の一部を拡大して模式的に示す、ハッチングを省略した部分拡大断面図であり、図９Ｂは、上記マーカの、凸面部の一並列方向における光軸の配置を模式的に示す図である。
【発明を実施するための形態】
【００１２】
［第１の実施の形態］
図２Ａは、本実施の形態に係るマーカ１０を模式的に示す平面図であり、図２Ｂは、マーカ１０を模式的に示す底面図である。図３Ａは、マーカ１０の、凸面部１３の並列方向に沿う断面を、ハッチングを省略して模式的に示す図であり、図３Ｂは、マーカ１０におけるシリンドリカルレンズ部を構成単位としたときの当該マーカにおける当該シリンドリカルレンズ部の配置を模式的に示す図である。
【００１３】
マーカ１０は、透光性を有する材料、例えば透明な材料で形成されているレンチキュラーレンズ部１１を含む。レンチキュラーレンズ部１１は、Ｘ方向に並列している複数のシリンドリカルレンズが一体化した形状を有する成形物であり、例えば、複数のシリンドリカルレンズを図示の通りに並べたときの個々のシリンドリカルレンズ間の隙間が透明材料で埋められて一体化した形状を有する。レンチキュラーレンズ部１１は、複レンズ部に相当する。
【００１４】
レンチキュラーレンズ部１１の平面形状は、例えば、Ｘ方向を長手方向、Ｙ方向を短手方向とする矩形である。レンチキュラーレンズ部１１を構成する、透光性を有する材料の例には、ポリカーボネートやアクリル樹脂などの透明樹脂、および、ガラスなどの透明無機材料、が含まれる。量産性の観点から、上記透光性を有する材料は、透光性を有する樹脂であることが好ましく、レンチキュラーレンズ部１１は、当該樹脂の射出成形品であることが好ましい。
【００１５】
レンチキュラーレンズ部１１は、Ｘ方向に並んで配置されている複数の凸面部１３を有する。凸面部１３の平面形状は、Ｙ方向を長手方向としＸ方向を短手方向とする矩形である。いずれの凸面部１３の平面形状のサイズは同じであり、たとえば、幅（Ｘ方向における長さ）は３７０μｍであり、長さ（Ｙ方向における長さ）は３ｍｍである。当該ピッチは、隣り合う被検出部のＸ方向における中心間距離である。
【００１６】
レンチキュラーレンズ部１１のＸＺ平面による断面における凸面部１３の形状は、例えば、半円または非半円である。当該非半円とは、半円以外の凸曲線であり、例えば、曲率半径が異なる円弧が連結してなる曲線である。上記非半円は、上記断面において、凸面部１３の中心から離れるに連れて曲率半径が大きくなる曲線であることが好ましい。凸面部１３は、その頂部に、Ｙ方向に延出する稜線を含む。
【００１７】
レンチキュラーレンズ部１１の裏面には、複数の溝１４が形成されている。それぞれの溝１４は、凸面部１３のそれぞれに対応している。溝１４の平面形状は、Ｙ方向を長手方向とする細長な矩形であり、溝１４のＸＺ平面における断面形状は矩形である。溝１４の深さ（上記裏面から溝１４の底面までの距離）は、好ましくは１０〜１００μｍである。
【００１８】
それぞれの溝１４の底面に直交し、かつＸＺ平面における当該底面の中心と交わる直線をそれぞれの凸面部１３の光軸ＯＡ１とすると、それぞれの溝１４は、いずれの光軸ＯＡ１も光学基準点ＯＰで交差する向きに形成されている。このように、それぞれの溝１４は、光軸ＯＡ１が溝１４よりも凸面部１３側で互いに交差する向きに形成されている。
【００１９】
ここで、光学基準点ＯＰとは、製品光軸ＰＡ上の任意の点である。製品光軸ＰＡとは、複レンズ部の光軸に相当し、マーカ１０の光学的な中心となる軸であり、マーカ１０を設計する際の基準となり得る。製品光軸ＰＡは、凸面部１３の配列方向（例えばＸ方向）に対して直交する直線であって、当該配列方向の両端の凸面部１３の光軸ＯＡ１が交差する点を通る直線で表される。マーカ１０の製品光軸ＰＡは、Ｘ方向の中央に位置する凸面部１３の光軸ＯＡ１と重なっている。
【００２０】
また、いずれの溝１４も、光軸ＯＡ１と上記底面との交点がそれぞれの凸面部１３による焦点となる位置に配置されている。ここで、凸面部１３による焦点とは、その凸面部１３の光軸ＯＡ１に平行な光が凸面部１３に入射、屈折したときに光軸ＯＡ１と実質的に交差する点であり、例えば、交差する光線が溝１４の底面に集光する光束の断面の面積が最小になる位置である。
【００２１】
さらに、凸面部１３の光軸ＯＡ１は、いずれも、凸面部１３の中心軸ＣＡと重なる凸面部１３の光軸ＯＡ１と重なっている。ここで、凸面部１３の中心軸ＣＡとは、凸面部１３の端縁で囲まれる形状（長方形）の中心を通る凸面部１３の法線であり、例えば、ＸＺ平面において凸面部１３の両端を結ぶ直線の中点を通り、かつ当該直線と直交する直線で表される。
【００２２】
溝１４は、着色部１５を収容している。着色部１５は、例えば有色の組成物であり、例えば黒色顔料などの着色剤を含有する塗料の固化物である。当該塗料は、流動性を有し、例えば液状の組成物であり、あるいは粉体である。塗料を塗布、固化する方法は、公知の方法の中から塗料に応じて適宜に決めることができる。たとえば、塗料の塗布方法の例には、スプレー塗布およびスクリーン印刷が含まれる。塗料の固化方法の例には、液状の塗料の乾燥、当該塗料中の硬化成分（ラジカル重合性化合物など）の硬化、および、粉体の焼き付け、が含まれる。
【００２３】
ここで、溝１４および着色部１５は、被検出部に相当している。また、溝１４の底面は、当該被検出部のレンチキュラーレンズ部１１との凸面部１３側の結像面に相当している。
【００２４】
以上の説明から明らかなように、マーカ１０は、図３Ｂに示されるように、凸面部１３の中心軸ＣＡ上に被検出部が配置されているシリンドリカルレンズ部を一構成単位としたときに、当該シリンドリカルレンズ部のそれぞれを、その凸面部１３を光学基準点ＯＰに向けて配置した集合体構造と実質的には同じ構造を有している。
【００２５】
なお、レンチキュラーレンズ部１１の裏面は、平滑であってもよいし、または適度な表面粗さを有していてもよい。当該裏面の粗面化は、ブラスト処理などの通常の粗面化処理によって行うことが可能であり、その表面粗さは、例えば算術平均粗さＲａで１〜１０μｍであることが好ましい。
【００２６】
マーカ１０では、着色部１５の像が光学的に検出可能な（例えば黒色の）像として凸面部１３のそれぞれに投影され、レンチキュラーレンズ部１１の表面に当該像の集合体としての模様が観察される。
【００２７】
ここで、「光学的に検出可能」とは、凸面部１３に投影された着色部１５の像が光学的な特性によって検出されることを意味する。当該光学的な特性とは、例えば、明度、彩度、色相などの色合いであり、あるいは、輝度などの光の強さである。上記光学的な特性の検出方法は、マーカ１０の用途に応じて適宜に決めることができ、例えば、目視での確認であってもよいし、光学的な検出装置による検出であってもよい。また、当該検出方法は、直接的な方法であってもよいし、他の器具を介する方法であってもよく、後者の例には、例えば着色部１５が蛍光を発する透明な組成物である場合の、当該組成物を励起させるためのＵＶランプの照射、が含まれる。
【００２８】
マーカ１０では、前述のマーカ１００に比べて、より鮮明に模様が観察される。
【００２９】
マーカ１００では、溝１４０は、シリンドリカルレンズ部１２０の平らな裏面に沿って形成されている。よって、マーカ１００では、シリンドリカルレンズ部１２０における光軸ＯＡにおける凸面部１３０から着色部１５０（溝１４０の底面）までの距離が、Ｘ方向において、光学基準点ＯＰから離れるほど長くなる。このため、それぞれのシリンドリカルレンズ部１２０では、Ｘ方向の端に近づくに連れて、球面収差が大きくなり、また、凸面部１３０による焦点と着色部１５０との位置のずれが大きくなる。したがって、マーカ１００で観察される模様を構成する個々の着色部１５０の像は、Ｘ方向の端に近づくに連れて、鮮明さが低下し、その結果、マーカ１００で観察される上記模様のＸ方向における端部の鮮明さが低くなる。
【００３０】
一方、マーカ１０では、いずれの溝１４の底面も、光軸ＯＡ１に対して直交する向きで、かつ凸面部１３による焦点の位置に位置している。よって、いずれの着色部１５も光学基準点ＯＰに正対しており、マーカ１０で観察される模様を構成する個々の着色部１５の像は、Ｘ方向における位置に関わらず、ほぼ最大かつ一定の大きさとなる。このため、マーカ１０で観察される上記模様は、Ｘ方向におけるいずれの観察位置においても、マーカ１００で観察される模様に比べて、より鮮明である。
【００３１】
以上の説明から明らかなように、マーカ１０は、透光性を有する材料で形成され、Ｘ方向に並んで配置されている複数の凸面部１３を有するレンチキュラーレンズ部１１と、凸面部１３のそれぞれに対応して配置され、光学的に検出可能な像として凸面部１３に投影される着色部１５とを含む。そして、ＸＺ平面において、着色部１５のレンチキュラーレンズ部１１との凸面部１３側の結像面（すなわち溝１４の底面）に直交する直線を着色部１５に対応する凸面部１３の光軸ＯＡ１とし、Ｘ方向における両端の凸面部１３の光軸ＯＡ１の交点（光学基準点ＯＰ）を通るＸ方向に対する垂線を製品光軸ＰＡとしたときに、複数の凸面部１３の光軸ＯＡ１のそれぞれは、着色部１５よりも凸面部１３側（例えば光学基準点ＯＰ）で製品光軸ＰＡと交差し、複数の着色部１５は、いずれも、凸面部１３の光軸ＯＡ１と上記結像面との交点が凸面部１３による焦点となる位置に配置されている。よって、マーカ１０は、凸レンズ部の裏面に沿う方向における着色部の位置のみで上記模様が設定されている従来のマーカ１００に比べて、より鮮明な模様を投影することができる。
【００３２】
また、複数の凸面部１３の光軸ＯＡ１のいずれもが、凸面部１３の中心軸ＣＡと重なる。すなわち、製品光軸ＰＡに光軸ＯＡ１および中心軸ＣＡが重なる凸面部１３はもちろんこと、それ以外の凸面部１３の光軸ＯＡ１が、その凸面部１３の中心軸とＣＡと重なっている。このように複数の凸面部１３の光軸ＯＡ１が凸面部１３の中心軸ＣＡと重なる凸面部１３の光軸ＯＡ１を含むことは、特定のシリンドリカルレンズ部を一構成単位としてレンチキュラーレンズ部１１を光学的に構築することが可能であるので、マーカ１０を容易に設計する観点からより一層効果的である。
【００３３】
また、レンチキュラーレンズ部１１が透明樹脂製であることは、レンチキュラーレンズ部１１を射出成形で製造することが可能であることから、凸面部１３と溝１４との位置関係が精密に制御されたレンチキュラーレンズ部１１を大量に製造することができるので、マーカ１０の量産性の観点からより一層効果的である。
【００３４】
［第２の実施の形態］
図４Ａは、マーカ２０の、凸面部２３の並列方向に沿う断面を、ハッチングを省略して模式的に示す図であり、図４Ｂは、マーカ２０におけるシリンドリカルレンズ部を構成単位としたときの当該マーカにおける当該シリンドリカルレンズ部の配置を模式的に示す図である。
【００３５】
マーカ２０は、透光性を有する材料で形成されているレンチキュラーレンズ部２１を含む。レンチキュラーレンズ部２１は、透光性を有する材料で形成され、Ｘ方向に並んで配置されている複数の凸面部２３を有する。レンチキュラーレンズ部２１は、例えば透明樹脂製であり、複レンズ部に相当する。レンチキュラーレンズ部２１は、Ｘ方向に並列している複数のシリンドリカルレンズが一体化した形状を有する成形物であり、そのレンズの部分は、例えば、図４Ｂに示されるように、Ｚ方向に向けられ、かつＸ方向に沿って並べられた複数のシリンドリカルレンズを一体化した構造と実質的に同じ構造を有している。このように、凸面部２３の中心軸ＣＡは、いずれもＺ方向に沿う直線で表される。
【００３６】
マーカ２０は、凸面部２３のそれぞれに対応して配置され、光学的に検出可能な像として凸面部２３に投影される被検出部を含む。当該被検出部は、レンチキュラーレンズ部２１においてそれぞれの凸面部２３に対応して配置される溝２４およびそれに収容される着色層２５によって構成される。
【００３７】
溝２４は、レンチキュラーレンズ部２１の裏面に形成される。マーカ１０と同様に、ＸＺ平面において溝２４のレンチキュラーレンズ部２１との凸面部２３側の結像面（底面）に直交し、かつ当該結像面の中心と交わる直線を上記被検出部に対応する凸面部２３の光軸ＯＡ２としたときに、凸面部２３の光軸ＯＡ２のそれぞれは、上記被検出部よりも凸面部２３側（光学基準点ＯＰ）で製品光軸ＰＡに交差している。製品光軸ＰＡは、Ｘ方向における両端の凸面部２３の光軸ＯＡ２の交点を通る、Ｚ方向に平行な直線で表され、Ｘ方向の中央の凸面部２３の光軸ＯＡ２に重なっている。なお、当該中央の凸面部２３の中心軸ＣＡも、当該中央の凸面部２３の光軸ＯＡ２と重なっている。
【００３８】
また、複数の上記被検出部は、いずれも、凸面部２３の光軸ＯＡ２と上記結像面との交点が凸面部２３による焦点となる位置に配置されている。凸面部２３間のピッチ（中心間距離）が被検出部間のピッチ（中心間距離）よりも小さい場合では、凸面部２３による焦点（像面）の位置は、ＸＺ平面において、Ｚ方向における凸面部２３から離れる向きに突出する凸曲線上に位置する。溝２４は、ＸＺ平面において、その溝２４に対応する凸面部２３の中心軸ＣＡよりもＸ方向における外側であって、対応する凸面部２３への光学基準点ＯＰからの入射光によって決まる焦点の位置で上記凸曲線に接する位置に配置される。
【００３９】
上記像面は、レンチキュラーレンズ部２１内に想定される、凸面部２３による焦点を中心とし、Ｚ方向における凸面部２３から離れる向き（凸面部２３とは反対側）に突出する凸曲面で表される。上記像面は、一つの凸面部２３を含む一光学ユニットで区画される。当該光学ユニットは、一つの凸面部２３を含む一格子（矩形）の平面形状を有する、略四角柱形状の領域で表される。本実施の形態では、上記光学ユニットは、図４Ｂに示されるシリンドリカルレンズ部の構成単位と同じである。
【００４０】
なお、マーカ１０では、溝１４は、その底面がＸＺ平面における中心軸ＣＡ上の、上記像面に接する位置（焦点の位置）に配置されており、その光学ユニットは、図３Ｂに示されるシリンドリカルレンズ部の構成単位と同じである。
【００４１】
マーカ２０では、複数の凸面部２３の光軸ＯＡ２のうちの、製品光軸ＰＡに光軸ＯＡ２および中心軸ＣＡが重なる（Ｘ方向における中央の）凸面部２３以外の凸面部２３の光軸ＯＡ２は、その凸面部２３の中心軸ＣＡと交差している。このように、マーカ２０では、複数の凸面部２３の光軸ＯＡ２は、凸面部２３の中心軸ＣＡに交差する光軸を含んでいる。
【００４２】
マーカ２０でも、マーカ１０と同様に、いずれの溝２４の底面も、光軸ＯＡ２に対して直交する向きで、かつ凸面部２３による焦点の位置に位置している。よって、いずれの着色部２５も光学基準点ＯＰに正対するので、マーカ２０で観察される模様を構成する個々の着色部２５の像は、Ｘ方向における位置に関わらず、ほぼ最大かつ一定の大きさとなる。このため、マーカ２０で観察される上記模様は、Ｘ方向におけるいずれの観察位置においても、マーカ１００で観察される模様に比べて、より鮮明である。
【００４３】
［第３の実施の形態］
図５Ａは、マーカ３０を模式的に示す平面図であり、図５Ｂは、マーカ３０のＸＺ平面に沿う断面の一部を拡大して模式的に示す、ハッチングを省略した部分拡大断面図であり、図５Ｃは、マーカ３０を模式的に示す底面図である。また、図６Ａは、マーカ３０の、ＹＺ平面に沿う断面の一部を拡大して模式的に示す、ハッチングを省略した部分拡大断面図であり、図６Ｂは、マーカ３０の、ＸＺ平面における光軸ＯＡの配置を模式的に示す図である。
【００４４】
マーカ３０は、透光性を有する材料で形成され、ＸＹ方向のそれぞれに並んで配置されている複数の凸面部３３を有する複レンズ部３１と、凸面部３３のそれぞれに対応して配置され、光学的に検出可能な像として凸面部３３に投影される被検出部とを含む。マーカ３０では、例えば、凸面部３３とそれに対応する被検出部とを一構成単位としたときに、第２の実施の形態のように、上記構成単位における凸面部３３は、その中心軸がＺ方向に沿って延出するように配置されており、上記被検出部は、光軸ＯＡに直交する上記構成単位における特定の位置に配置されている。
【００４５】
マーカ３０の光学ユニットは、Ｘ方向およびＹ方向における、隣り合う凸面部３３の中心までの距離が等しい点の集合で構成される直線で区切られる平面形状で、個々の凸面部３３が区切られてなる領域である。すなわち、マーカ３０の光学ユニットは、一つの凸面部３３を含み、その凸面部３３と隣り合う凸面部３３の中心を結ぶ直線の中点で直交する四つの直線で構成される矩形（正方形）の平面形状を有する領域で表される。
【００４６】
マーカ３０は、第１面３０１および第２面３０２を有する。第１面３０１は、複数の凸面部３３を含む。また、第２面３０２は、複数の被検出部と、反射部３６とを含み、当該被検出部は、凹部３４およびそれに収容されている着色部３５により構成されている。反射部３６は、例えば、凸面部３３のそれぞれに対応する、第２面３０２における部分であって、凸面部３３と同じ平面形状を有する部分である。
【００４７】
マーカ３０の製品光軸は、ＸＺ平面における両端の凸面部３３の光軸の交点を通るＺ方向に沿う直線であって、かつＸＹ平面における両端の凸面部３３の光軸の交点を通るＺ方向に沿う直線である。また、凸面部３３の光軸ＯＡは、マーカ３０の外方における上記被検出部側において当該製品光軸と交差する向きに延出する直線である。
【００４８】
凸面部３３は、その断面形状が半円弧または非半円弧である。上記断面形状が半円弧の凸面部３３は、球面レンズを構成しており、非半円弧の凸面部３３は、例えば非球面レンズを構成している。非球面レンズを構成する凸面部３３は、マーカ３０のＸＺ平面で切断した断面において、その頂点３３１からＸ方向に沿って離れるに連れて曲率半径が大きくなる曲線で表される。当該曲率半径は、その頂点３３１から離れるに連れて連続して大きくなってもよいし、断続的に大きくなってもよい。
【００４９】
なお、マーカ３０において、凸面部３３の頂点３３１は、凸面部３３と中心軸ＣＡとの交点である。凸面部３３の中心軸ＣＡは、凸面部３３の中心を通る、Ｚ方向に沿う直線で表される。
【００５０】
凸面部３３の平面視形状は、いずれも同じ大きさであり、例えば円形である。たとえば、凸面部３３の平面視形状の直径は、３５０μｍである。凸面部３３の形状は、その中心軸ＣＡを回転軸とした回転対称性を有している。
【００５１】
凸面部３３のピッチＰＣＬは、Ｘ方向およびＹ方向のいずれも３５０μｍである。当該「ピッチ」とは、隣り合う凸面部３３の中心間の距離（ＰＣＬ）を意味する。たとえば、上記ピッチは、隣り合う凸面部３３における、凸面部３３とその中心軸ＣＡとの交点間のＸ方向またはＹ方向における距離である。
【００５２】
凹部３４は、複レンズ部３１の裏面側（第２面３０２）に形成された、略円柱状の凹部である。凹部３４は、その底面が凸面部３３の光軸と交わり、その交点が凸面部３３の焦点（像面）と一致する位置に配置されている。凹部３４は、例えば、複レンズ部３１の裏面側に、凸面部３３の光軸にその底面の中心で当該底面と直交するように形成されている。このように、凸面部３３の焦点は、上記被検出部上に位置しており、いずれの上記被検出部も、対応する凸面部３３の焦点となる位置に配置されている。
【００５３】
凹部３４の平面形状は、円形であり、その直径（Ｗ２）は４５μｍであり、その深さは１０μｍである。凹部３４の平面形状は、他の形状であってもよい。たとえば、凹部３４の上記平面形状は、図７Ａに示されるような正方形であってもよいし、図７Ｂに示されるような長方形であってもよいし、図７Ｃに示されるような十字形であってもよい。
【００５４】
マーカ３０において、例えばＸ方向において隣り合う上記被検出部間の中心間距離（｜Ｃｎ−Ｃｎ−１｜）は、ＰＣＬ＋ｎＧμｍであり、また例えばＹ方向において隣り合う上記被検出部間の中心間距離（｜Ｃｍ−Ｃｍ−１｜）は、ＰＣＬ＋ｍＧμｍである。ｎは、ある凸面部３３を０番としたときのＸ方向におけるｎ番目の凸面部３３であることを示す。ｍは、ある凸面部３３を０番としたときのＹ方向におけるｍ番目の凸面部３３であることを示す。このように、上記被検出部間の中心間距離は、凸面部の中心間距離（ＰＣＬ）よりも大きい。すなわち、マーカ３０では、Ｘ方向およびＹ方向のいずれにおいても、隣接する凸面部３３間のピッチは、隣接する被検出部（凹部３４）の中心間の間隔よりも狭い。
【００５５】
マーカ３０では、第１および第２の実施の形態の一方の形態の構成のみが採用されていてもよい。すなわち、マーカ３０では、凹部３４および着色部３５が、ＸＹ平面上の二方向の一方のみにおいて、前述したマーカ１０またはマーカ２０のＸＺ平面による断面における凸面部と被検出部との位置関係となるように配置されていてもよい。たとえば、凹部３４および着色部３５が、Ｘ方向およびＹ方向の一方において、マーカ１０のＸＺ平面による断面における溝および着色部と同様の位置および形状となるように形成されていれば、マーカ３０は、Ｘ方向およびＹ方向における上記一方の方向において、マーカ１０の効果と同じ効果を奏する。
【００５６】
なお、本実施の形態では、凸面部３３がいずれもＺ方向の同方向に突出し、上記被検出部が凸面部３３に対して適切な位置に配置されている形態として説明したが、第１の実施の形態と同様に、凸面部３３とその中心軸ＣＡに平面形状の中心を有する凹部３４とを有する構成単位が、その凸面部３３のいずれもが、マーカ３０における光学基準点ＯＰに向けて（上記中心軸ＣＡのいずれもが構成ユニット）配置されてなる形態であってもよい。この場合、「凸面部３３の中心軸ＣＡ」は、ＸＺ平面において凸面部３３の両端を結ぶ直線Ａの中点を通り、かつ当該直線Ａと直交する直線で表される。
【００５７】
また、上記の場合、光学ユニットは、第１面を、一つの凸面部３３を含み、隣り合う凸面部３３の中心を結ぶ直線の中点を通る上記の矩形に区画し、第２面を、上記凸面部に対応する一つの上記被検出部を含み、それに対応する中心軸ＣＡを中心とする矩形に区画したときの、上記凸面部とそれに対応する被検出部とを含む、第１面側の矩形から第２面側の矩形に漸次わずかに拡大する略四角柱状の領域で表される。
【００５８】
［第４の実施の形態］
マーカ４０は、上記凸面部および上記反射部の平面形状がともに矩形である以外は、マーカ３０と同様に構成される。図８Ａは、マーカ４０を模式的に示す平面図であり、図８Ｂは、マーカ４０のＸＺ平面に沿う断面の一部を拡大して模式的に示す、ハッチングを省略した部分拡大断面図であり、図８Ｃは、マーカ４０を模式的に示す底面図である。また、図９Ａは、マーカ４０の、ＹＺ平面に沿う断面の一部を拡大して模式的に示す、ハッチングを省略した部分拡大断面図であり、図９Ｂは、マーカ４０の、Ｘ方向における光軸ＯＡの配置を模式的に示す図である。
【００５９】
マーカ４０は、第１面４０１および第２面３０２を有する。第１面４０１は、複数の凸面部４３を含む。凸面部４３の平面視形状は正方形であり、いずれも同じ大きさである。たとえば、凸面部４３の平面視形状の一辺の長さは、３５０μｍであり、凸面部４３のピッチＰＣＬは、Ｘ方向およびＹ方向のいずれも３５０μｍである。また、第２面３０２における反射部４６も、凸面部４３の平面視形状と同じ形状を有している。なお、符号４３１は、凸面部４３の頂点を示している。
【００６０】
マーカ４０の光学ユニットは、例えば、凸面部４３の平面形状の正方形（反射部４６の正方形）で区画される略四角柱形状の領域で表される。
【００６１】
マーカ４０でも、マーカ３０と同様に、Ｘ方向およびＹ方向において、隣接する凸面部４３間のピッチは、隣接する被検出部（凹部３４）の中心間の間隔よりも狭い。マーカ４０もまた、マーカ３０と同様に、Ｘ方向およびＹ方向の一方または両方において、マーカ１０の効果と同じ効果を奏する。
【００６２】
［他の実施の形態］
本発明に係るマーカは、前述の実施の形態以外にも、本発明の効果が得られる範囲において、種々の形態を取り得る。
【００６３】
たとえば、マーカの製品光軸は、複数の凸面部のいずれの中心軸とも重なっていなくてもよい。
【００６４】
また、全ての凸面部の光軸は、製品光軸と交差していればよく、光学基準点のみで交差していなくてもよい。たとえば、一つのマーカにおける凸面部の光軸は、所期の光学的な効果が得られる範囲において、上記製品光軸に対する角度が同じである複数の凸面部の光軸の群を一以上含んでいてもよい。
【００６５】
また、光学基準点は、中央のシリンドリカルレンズ部または凸レンズ部の中心軸上になくてもよい。たとえば、光学基準点は、マーカにおけるシリンドリカルレンズ部または凸レンズ部の配列方向（例えばＸ方向）における端のシリンドリカルレンズ部または凸レンズ部における中心軸上に位置していてもよい。
【００６６】
また、上記被検出部は、溝および着色部で構成されているが、他の構成を取り得る。たとえば、被検出部は、突条または凸部と着色部とによって構成されていてもよいし、透明樹脂成形体中に配置された細長の着色された樹脂製の筐体のように、着色部のみから構成されていてもよい。また、着色部は、塗料の固化物で構成されているが、着色されたシートであってもよい。
【００６７】
また、上記複レンズ部の裏面（凸面部とは反対側の表面）の部分は、被検出部に対して光学的に認識可能な範囲で、種々の形態を取り得る。たとえば、当該裏面の部分は、角錐状の微小プリズムによる凹凸や金属の蒸着膜などによる反射面であってもよいし、上記着色部以外の色で着色されていてもよい。
【００６８】
また、複レンズ部は、一体成形物でなくてもよい。たとえば、上記マーカは、当該複レンズ部の構成単位となり得る複数のシリンドリカルレンズ部または凸レンズ部と、個々のシリンドリカルレンズ部または凸レンズ部を所望の向きおよび位置に保持するための基材とによって構成されてもよい。
【００６９】
なお、前述のいずれも実施の形態においても、それぞれの光軸ＯＡは、被検出部（溝、凹部）における結像面の中心を通っているが、それぞれの光軸ＯＡは、それぞれの当該結像面の中心を通らなくてもよい。たとえば、それぞれの光軸ＯＡは、上記結像面と直交する範囲において、結像面のいずれの位置で交わってもよい。
【００７０】
また、第１の実施の形態（マーカ１０）については、マーカ１００と同様に、Ｘ方向において製品光軸ＰＡから離れるに連れて、溝の底面に平行な方向に沿って、溝の位置を凸面部の中心軸ＣＡからより外側へ配置することも可能である。たとえば、マーカ１０において、製品光軸ＰＡを含む凸面部を０番として、Ｘ方向においてｎ番目の凸面部に対応するｎ番目の溝を、その中心がｎ番目の凸面部の中心軸から溝の底面に平行な方向における所定の間隔ｎＧμｍ（例えば０．８ｎμｍ）だけさらに離れる位置となるように配置してもよい。この場合、複レンズ部の凸面部側の表面に投影される模様の、製品光軸を中心とする観察範囲を、マーカ１０のそれよりも広くすることが可能となる。
【００７１】
２０１５年１２月８日出願の特願２０１５−２３９１８４の日本出願に含まれる明細書、図面および要約書の開示内容は、すべて本願に援用される。
【産業上の利用可能性】
【００７２】
本発明に係るマーカは、物体の位置や姿勢などを認識するのに有用であり、この用途において有効な観察範囲を特定の方向にまたは全般的に拡げるのに有効である。よって、本発明は、上記用途に係る技術分野のさらなる発展に寄与することが期待される。
【符号の説明】
【００７３】
１０、２０、３０、４０、１００  マーカ
１１、２１、１１０  レンチキュラーレンズ部
１３、２３、３３、４３、１３０  凸面部
１４、２４、１４０  溝
１５、２５、３５、１５０  着色部
３１  複レンズ部
３４  凹部
３６、４６  反射部
１２０  シリンドリカルレンズ部
１６０  裏面部
３０１、４０１  第１面
３０２  第２面
３３１、４３１  頂点
ＣＡ  中心軸
ＰＡ  製品光軸
ＯＡ、ＯＡ１、ＯＡ２  光軸
ＯＰ  光学基準点
【図１】
2017099007.tif 000003
【図２】
2017099007.tif 000004
【図３】
2017099007.tif 000005
【図４】
2017099007.tif 000006
【図５】
2017099007.tif 000007
【図６】
2017099007.tif 000008
【図７】
2017099007.tif 000009
【図８】
2017099007.tif 000010
【図９】
2017099007.tif 000011
【国際調査報告】
2017099007.tif 000012
2017099007.tif 000013
2017099007.tif 000014
2017099007.tif 000015